(57)【要約】【課題】ドアホン子器との通話に関する使い勝手を向上する。【解決手段】携帯電話事業者の携帯電話網を介して通話する携帯電話機能並びに携帯電話網を介さずに無線通信する無線通信機能を有する携帯電話端末３に対して、親機１と携帯電話端末３の無線通信機能とをインタフェースする無線Ｉ／Ｆ部１５を備える。加入者電話回線に契約していなくても、親機１だけでなく携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、携帯電話端末３では外線通話を継続したままドアホン子器２の呼出通知を受信して報知するので、外線通話を継続したままで来訪者が来たことを家人に知らせることができて使い勝手が向上する。【選択図】図１
2008135976.tif 000002
【特許請求の範囲】
【請求項１】
住戸の屋外に設置されるドアホン子器と、住戸の屋内に設置されるとともに信号線を介して音声信号を授受することによりドアホン子器との間でインターホン通話が可能なインターホン親機と、携帯電話事業者の携帯電話網を介して通話する携帯電話機能並びに前記携帯電話網を介さずに無線通信する無線通信機能を有する携帯電話端末に対してインターホン親機と携帯電話端末の無線通信機能とをインタフェースする無線インタフェース手段とを備え、無線インタフェース手段を介して携帯電話端末とドアホン子器との間で音声信号を授受してなり、
携帯電話端末は、携帯電話事業者の携帯電話網を介した通話中にインターホン親機から無線インタフェース手段を介してドアホン子器の呼出通知を受信した場合に当該通話を継続しながら前記呼出通知の受信を報知することを特徴とするインターホンシステム。
【請求項２】
集合住宅の共用玄関に設置されるとともに各々通信線を介して集合住宅の各住戸に設置された前記インターホン親機と接続され、通信線を介してインターホン親機との間で音声信号を授受するとともに無線インタフェース手段を介して携帯電話端末との間で音声信号を授受するロビーインターホン装置を備え、
携帯電話端末は、携帯電話事業者の携帯電話網を介した通話中にインターホン親機から無線インタフェース手段を介してドアホン子器又はロビーインターホン装置の呼出通知を受信した場合に当該通話を継続しながら前記呼出通知の受信を音で報知するとともに呼出元の種類に応じて前記報知音を異ならせてなることを特徴とする請求項１記載のインターホンシステム。
【請求項３】
来訪者を撮像する撮像手段をドアホン子器又はロビーインターホン装置の少なくとも何れか一方に具備し、撮像手段で撮像された映像が信号線を介してインターホン親機に伝送され、ドアホン子器又はロビーインターホン装置から受け取った映像をインターホン親機が具備する表示手段に表示するとともに、無線インタフェース手段を介してインターホン親機から携帯電話端末へ前記映像を伝送してなり、
携帯電話端末は、携帯電話事業者の携帯電話網を介した通話中にインターホン親機から無線インタフェース手段を介して前記映像を受信した場合に当該通話を継続しながら前記映像を表示することを特徴とする請求項１又は２記載のインターホンシステム。
【請求項４】
インターホン親機は、無線インタフェース手段を介して携帯電話端末から解錠指令を受信したときに住戸の玄関又は集合住宅の共用玄関に設置された電気錠を解錠する電気錠解錠手段を具備し、
携帯電話端末は、携帯電話事業者の携帯電話網を介した通話を継続したまま無線インタフェース手段を介してインターホン親機へ前記解除指令を送信可能であることを特徴とする請求項１〜３の何れか１項に記載のインターホンシステム。
【請求項５】
インターホン親機は、無線インタフェース手段を介して携帯電話端末からメッセージ応答指令を受信したときに所定の音声メッセージをドアホン子器又はロビーインターホン装置へ送信するメッセージ応答手段を具備し、
携帯電話端末は、携帯電話事業者の携帯電話網を介した通話を継続したまま無線インタフェース手段を介してインターホン親機へ前記メッセージ応答指令を送信可能であることを特徴とする請求項１〜４の何れか１項に記載のインターホンシステム。
【請求項６】
住戸の屋外又は屋内に設置されるとともに異常を検出したときにインターホン親機に異常発生を伝える１乃至複数のセンサ装置を備え、
インターホン親機は、何れかのセンサ装置から異常発生が伝えられたときに警報音を鳴動するとともに、無線インタフェース手段を介して当該異常の発生並びに異常を検出したセンサ装置の種類を含む異常検出情報を携帯電話端末へ送信し、
携帯電話端末は、携帯電話事業者の携帯電話網を介した通話中にインターホン親機から無線インタフェース手段を介して前記異常検出情報を受信した場合に当該通話を継続しながら前記異常検出情報を報知することを特徴とする請求項１〜５の何れか１項に記載のインターホンシステム。
【発明の詳細な説明】
【技術分野】
【０００１】
本発明は、インターホンシステムに関するものである。
【背景技術】
【０００２】
従来より、住戸の屋外に設置されるドアホン子器と、住戸の屋内に設置されるとともに信号線を介してドアホン子器と接続されるインターホン親機とを備え、信号線を介して音声信号を授受することによりインターホン親機とドアホン子器との間でインターホン通話が可能なインターホンシステムが種々提供されている。ここで、インターホン親機だけでなく、加入者電話回線に接続された一般の電話機でもドアホン子器との通話を可能としたインターホンシステムが既に提供されている（特許文献１参照）。
【０００３】
また、現在では一般の電話機にもワイヤレス子機を備えたものが広く普及しており、インターホン親機を介したドアホン子器との通話と電話機を介した外線通話の双方が可能なワイヤレス子機を備えたインターホンシステムも提供されている（例えば、特許文献２参照）。
【特許文献１】特開平５−３５７９号公報
【特許文献２】特開昭６３−２３６４２７号公報
【発明の開示】
【発明が解決しようとする課題】
【０００４】
ところで、近年では携帯電話の契約数が加入者電話回線の契約数を追い越し、加入者電話回線を契約せずに携帯電話で自宅からの外線通話を行う家庭が増加してきている。すなわち、加入者電話回線に契約していない家庭では、一般の電話機並びにワイヤレス子機を使ってドアホン子器と通話することができず、使い勝手が悪いものであった。
【０００５】
本発明は上記事情に鑑みて為されたものであり、その目的は、ドアホン子器との通話に関する使い勝手を向上したインターホンシステムを提供することにある。
【課題を解決するための手段】
【０００６】
請求項１の発明は、上記目的を達成するために、住戸の屋外に設置されるドアホン子器と、住戸の屋内に設置されるとともに信号線を介して音声信号を授受することによりドアホン子器との間でインターホン通話が可能なインターホン親機と、携帯電話事業者の携帯電話網を介して通話する携帯電話機能並びに前記携帯電話網を介さずに無線通信する無線通信機能を有する携帯電話端末に対してインターホン親機と携帯電話端末の無線通信機能とをインタフェースする無線インタフェース手段とを備え、無線インタフェース手段を介して携帯電話端末とドアホン子器との間で音声信号を授受してなり、携帯電話端末は、携帯電話事業者の携帯電話網を介した通話中にインターホン親機から無線インタフェース手段を介してドアホン子器の呼出通知を受信した場合に当該通話を継続しながら前記呼出通知の受信を報知することを特徴とする。
【０００７】
請求項２の発明は、請求項１の発明において、集合住宅の共用玄関に設置されるとともに各々通信線を介して集合住宅の各住戸に設置された前記インターホン親機と接続され、通信線を介してインターホン親機との間で音声信号を授受するとともに無線インタフェース手段を介して携帯電話端末との間で音声信号を授受するロビーインターホン装置を備え、携帯電話端末は、携帯電話事業者の携帯電話網を介した通話中にインターホン親機から無線インタフェース手段を介してドアホン子器又はロビーインターホン装置の呼出通知を受信した場合に当該通話を継続しながら前記呼出通知の受信を音で報知するとともに呼出元の種類に応じて前記報知音を異ならせてなることを特徴とする。
【０００８】
請求項３の発明は、請求項１又は２の発明において、来訪者を撮像する撮像手段をドアホン子器又はロビーインターホン装置の少なくとも何れか一方に具備し、撮像手段で撮像された映像が信号線を介してインターホン親機に伝送され、ドアホン子器又はロビーインターホン装置から受け取った映像をインターホン親機が具備する表示手段に表示するとともに、無線インタフェース手段を介してインターホン親機から携帯電話端末へ前記映像を伝送してなり、携帯電話端末は、携帯電話事業者の携帯電話網を介した通話中にインターホン親機から無線インタフェース手段を介して前記映像を受信した場合に当該通話を継続しながら前記映像を表示することを特徴とする。
【０００９】
請求項４の発明は、請求項１〜３の何れか１項の発明において、インターホン親機は、無線インタフェース手段を介して携帯電話端末から解錠指令を受信したときに住戸の玄関又は集合住宅の共用玄関に設置された電気錠を解錠する電気錠解錠手段を具備し、携帯電話端末は、携帯電話事業者の携帯電話網を介した通話を継続したまま無線インタフェース手段を介してインターホン親機へ前記解除指令を送信可能であることを特徴とする。
【００１０】
請求項５の発明は、請求項１〜４の何れか１項の発明において、インターホン親機は、無線インタフェース手段を介して携帯電話端末からメッセージ応答指令を受信したときに所定の音声メッセージをドアホン子器又はロビーインターホン装置へ送信するメッセージ応答手段を具備し、携帯電話端末は、携帯電話事業者の携帯電話網を介した通話を継続したまま無線インタフェース手段を介してインターホン親機へ前記メッセージ応答指令を送信可能であることを特徴とする。
【００１１】
請求項６の発明は、請求項１〜５の何れか１項の発明において、住戸の屋外又は屋内に設置されるとともに異常を検出したときにインターホン親機に異常発生を伝える１乃至複数のセンサ装置を備え、インターホン親機は、何れかのセンサ装置から異常発生が伝えられたときに警報音を鳴動するとともに、無線インタフェース手段を介して当該異常の発生並びに異常を検出したセンサ装置の種類を含む異常検出情報を携帯電話端末へ送信し、携帯電話端末は、携帯電話事業者の携帯電話網を介した通話中にインターホン親機から無線インタフェース手段を介して前記異常検出情報を受信した場合に当該通話を継続しながら前記異常検出情報を報知することを特徴とする。
【発明の効果】
【００１２】
請求項１の発明によれば、加入者電話回線に契約していなくても、インターホン親機だけでなく携帯電話端末を使ってドアホン子器と通話ができるから使い勝手が向上し、しかも、携帯電話端末によるドアホン子器との通話においては携帯電話事業者の携帯電話網を介さずに通話できるから、通話に要するコストを大幅に低減することが可能である。さらに、携帯電話端末において携帯電話事業者の携帯電話網を介した通話（外線通話）を継続したままドアホン子器の呼出通知を受信して報知するので、外線通話を継続したままで来訪者が来たことを家人に知らせることができて使い勝手が向上する。
【００１３】
請求項２の発明によれば、集合住宅用のインターホンシステムにおいても、インターホン親機だけでなく携帯電話端末を使ってロビーインターホン装置と通話ができ、しかも、携帯電話端末においては、外線通話を継続しながら呼出通知の受信を音で報知するとともに呼出元の種類に応じて前記報知音を異ならせているので、呼出元の種類に応じた応対方法が選択できて使い勝手が向上する。
【００１４】
請求項３の発明によれば、携帯電話端末の表示デバイスにドアホン子器又はロビーインターホン装置の撮像手段で撮像された映像を表示することができるから、来訪者の映像を視認して通話することができ、しかも、映像を視認しながらも外線通話を継続することができて使い勝手が向上する。
【００１５】
請求項４の発明によれば、携帯電話端末から無線インタフェース手段を介して解錠指令を送信すると、インターホン親機の電気錠解錠手段が電気錠を解錠するので、外線通話を継続したままで携帯電話端末によって電気錠を解錠することができて使い勝手が向上する。
【００１６】
請求項５の発明によれば、携帯電話端末から無線インタフェース手段を介してメッセージ応答指令を送信すると、インターホン親機のメッセージ応答手段が所定の音声メッセージをドアホン子器又はロビーインターホン装置に送信するので、ドアホン子器又はロビーインターホン装置から音声メッセージを鳴動させ、外線通話を継続したままで来訪者に応対することができて使い勝手が向上する。
【００１７】
請求項６の発明によれば、センサ装置で異常が検出されたときに異常の発生並びに異常を検出したセンサ装置の種類を含む異常検出情報がインターホン親機から無線インタフェース手段を介して携帯電話端末に送信され、携帯電話端末では、外線通話中に前記異常検出情報を受信した場合に当該通話を継続しながら前記異常検出情報を報知するので、外線通話中に異常（例えば、火災やガス漏れあるいは不審者の侵入など）の発生が見過ごされるのを防ぐことができる。
【発明を実施するための最良の形態】
【００１８】
（実施形態１）
本実施形態は戸建て住宅向けのインターホンシステムに本発明の技術思想を適用したものであって、図１に示すように住戸の屋外（玄関）に設置されるドアホン子器２と、住戸の屋内に設置されるとともに信号線Ｌｓを介してドアホン子器２と接続されるインターホン親機（以下、「親機」と略す。）１とを備えている。また、本実施形態における親機１は、後述する無線インタフェース手段を介して携帯電話端末３と無線通信することが可能である。
【００１９】
携帯電話端末３は、例えばＷ−ＣＤＭＡ(Wideband Code Division Multiple Access)方式の第３世代携帯電話端末であって、マイクロホン３０並びにスピーカ３１と、携帯電話事業者の基地局と無線通信するための第１無線部３２と、無線ＬＡＮに関する規格（例えば、IEEE 802.11諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備し、第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにIEEE 802.11諸規格に準拠した無線ＬＡＮ機能については従来周知であるから詳細な説明を省略する。
【００２０】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介して親機１から伝送されてくる音声信号を分離する多重分離処理部２４とを具備している。但し、かかるドアホン子器２の構成は従来周知であるから、詳細な説明は省略する。
【００２１】
親機１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、液晶表示器やＣＲＴなどの表示デバイスを有し多重分離処理部１０で分離された映像信号を復調して表示するモニタ部１１と、マイクロホン並びにスピーカ、マイクロホンの出力を増幅するマイクロホンアンプ、スピーカへの入力を増幅するスピーカアンプを有する音声入出力部１２と、応答釦（図示せず）等の操作釦を具備して操作入力を受け付ける操作入力受付部１３と、ＣＰＵを主構成要素とし各部の制御を行う親機制御部１４と、親機１（親機制御部１４）と携帯電話端末３の無線通信機能とをインタフェースする無線インタフェース（Ｉ／Ｆ）部１５とを具備している。なお、無線Ｉ／Ｆ部１５は、携帯電話端末３の第２無線部３３と同様に無線ＬＡＮに関する規格（例えば、IEEE 802.11諸規格）に準拠した無線通信を行うものである。
【００２２】
ここで、親機１や携帯電話端末３には各々固有のＩＰアドレス（プライベートアドレス）が割り当てられ、ＩＰアドレスによって互いが認識可能となっている。但し、規格（例えば、IEEE 802.11諸規格）に準拠した無線通信の詳細については周知であるから説明を省略する。また、親機１の音声入出力部１２が、各々エコーキャンセラ若しくは音声スイッチの少なくとも何れか一方を具備すれば、親機１で拡声通話（ハンズフリー通話）を行うことができる。
【００２３】
次に本実施形態の動作を説明する。まず、ドアホン子器２と親機１との間で通話するインターホンシステムの基本動作について簡単に説明する。
【００２４】
来訪者がドアホン子器２の呼出釦（図示せず）を押操作すると信号線Ｌｓを介して親機１に呼出信号が伝送され、親機１においては親機制御部１４により音声入出力部１２のスピーカから呼出音を鳴動させるとともに信号線Ｌｓを介して電源を供給することでドアホン子器２の撮像部２３を起動し、撮像部２３で撮像された映像（動画）をモニタ部１１に表示させる。そして、モニタ部１１に表示された映像で来訪者を確認した家人が親機１の操作入力受付部１３に設けられた応答釦（図示せず）を押操作すれば、親機制御部１４によりドアホン子器２との間に信号線Ｌｓを介した通話路が形成されて親機１とドアホン子器２との間において通話が可能になるとともに、通話中においては親機１のモニタ部１１にドアホン子器２から伝送される映像を表示させることが可能になる。但し、親機１とドアホン子器２との間の通話並びに映像伝送は、応答釦が押操作されてから所定時間が経過するか若しくは再度応答釦が押操作されたときに終了する。
【００２５】
続いて、図２のシーケンス図を参照しながらドアホン子器２と携帯電話端末３との通話に関する動作を説明する。
【００２６】
呼出釦が押操作されてドアホン子器２から信号線Ｌｓを介して呼出信号が送信されると、親機１の親機制御部１４が無線Ｉ／Ｆ部１５より携帯電話端末３に対して呼出通知を行うとともに音声入出力部１２のスピーカから呼出音を鳴動させる。携帯電話端末３では、親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３より親機１に対して応答通知を行う。親機１では、携帯電話端末３から送信された応答通知を無線Ｉ／Ｆ部１５で受信すると、親機制御部１４がドアホン子器２との間に信号線Ｌｓを介した通話路を形成するとともに無線Ｉ／Ｆ部１５より携帯電話端末３に対して通話許可通知を行い、さらに音声入出力部１２のスピーカから鳴動させていた呼出音を停止する。携帯電話端末３では、親機１から送信された通話許可通知を第２無線部３３で受信すると端末制御部３６がスピーカ３１から鳴動させていた呼出音を停止する。そして、ドアホン子器２から親機１に伝送された映像と音声（送話音声）が親機制御部１４で各々映像データと音声データに変換されて無線Ｉ／Ｆ部１５より携帯電話端末３へ送信され、携帯電話端末３においては、親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より親機１へ送信され、親機１においては、携帯電話端末３から送信された音声データを無線Ｉ／Ｆ部１５で受信すると親機制御部１４が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、親機１を介した携帯電話端末３とドアホン子器２との間の通話並びに映像伝送は、携帯電話端末３で応答釦が押操作されてから所定時間が経過するか若しくは再度応答釦が押操作されたときに終了する。
【００２７】
また、携帯電話端末３が第１無線部３２により携帯電話事業者の携帯電話網を介して通話（以下、外線通話という。）しているときに親機１から呼出通知が送信された場合の動作を、図３のシーケンス図を参照しながら説明する。
【００２８】
外線通話中の携帯電話端末３では、親機１から送信された呼出通知を第２無線部３３で受信すると、端末制御部３６が外線通話の通話音声に重畳してスピーカ３１から呼出音を鳴動させる。そして、呼出音を聞いた家人が携帯電話端末３の操作入力受付部３５に設けられた応答釦（図示せず）を押操作すれば、端末制御部３６が外線通話を継続したまま第２無線部３３より親機１に対して応答通知を行うとともに、スピーカ３１から鳴動させていた呼出音を停止する。但し、この応答通知には携帯電話端末３が外線通話中であることを示す情報（例えば、１ビットのデータ）が付加されている。親機１では、携帯電話端末３から送信された応答通知を無線Ｉ／Ｆ部１５で受信すると、携帯電話端末３が外線通話中であることを知った親機制御部１４がドアホン子器２の撮像部２３を起動し撮像部２３で撮像した来訪者の映像のみを伝送させるとともに音声入出力部１２のスピーカから鳴動させていた呼出音を停止する。そして、ドアホン子器２から親機１に伝送された映像が親機制御部１４で映像データに変換されて無線Ｉ／Ｆ部１５より携帯電話端末３へ送信され、携帯電話端末３においては、親機１から送信された映像データを第２無線部３３で受信すると端末制御部３６が映像データから元の映像を再構成してモニタ部３４に表示させる。ここで、来訪者の映像を見た家人が直接応対する必要がないと判断して操作入力受付部３５に設けられた所定のキー（例えば、「１」と「＊」）を押操作すれば、端末制御部３６が第２無線部３３より親機１に対してメッセージ応答指令を送信する。親機１では、無線Ｉ／Ｆ部１５を介してメッセージ応答指令を受け取った親機制御部１４が予めメモリ（図示せず）に圧縮して保存している音声メッセージ（例えば、「今、手が離せないので、お引き取り下さい。」という内容のメッセージ）のデータを読み出して伸長するとともに当該音声メッセージをアナログ信号に変換して信号線Ｌｓを介してドアホン子器２に送信する。ドアホン子器２では信号線Ｌｓを介して親機１から送信されてきた音声メッセージがスピーカ２１から鳴動される。そして、家人が応答釦を押操作すると端末制御部３６が第２無線部３３より親機１に対して終了通知を送信し、引き続き外線通話を継続する。この終了通知を受信した親機１では、親機制御部１４がドアホン子器２の撮像部２３を停止して携帯電話端末３への映像送信を終了する。
【００２９】
上述のように本実施形態によれば、加入者電話回線に契約していなくても、親機１だけでなく携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、音声だけでなくドアホン子器２の撮像部２３で撮像された映像も親機１から携帯電話端末３に中継され、携帯電話端末３のモニタ部３４にドアホン子器２から受け取った映像を表示することができるから、携帯電話端末３を使って来訪者の映像を視認しながら通話することができる。さらに、携帯電話端末３では外線通話を継続したままドアホン子器２の呼出通知を受信して報知するので、外線通話を継続したままで来訪者が来たことを家人に知らせることができて使い勝手が向上する。またさらに、携帯電話端末３からメッセージ応答指令を送信すると、親機１のメッセージ応答手段（親機制御部１４）が所定の音声メッセージをドアホン子器２に送信するので、ドアホン子器２から音声メッセージを鳴動させ、外線通話を継続したままで来訪者に応対することができる。
【００３０】
（実施形態２）
本実施形態は、図４に示すように住戸の屋外又は屋内に設置されるとともに異常（例えば、火災やガス漏れ、不審者の侵入など）を検出したときに親機１に異常発生を伝える複数のセンサ装置５，６を備えた点に特徴がある。但し、本実施形態の基本構成は実施形態１と共通であるから、共通の構成要素には同一の符号を付して図示並びに説明は適宜省略する。
【００３１】
センサ装置５は、通信線Ｌｚにより親機１と接続される有線タイプの火災感知器からなり、火災に伴う煙や温度上昇を検出するセンシング部５０と、２線式の通信線Ｌｚに接続された接点出力部５１と、マイコンを主構成要素としセンシング部５０の検出出力に基づいて火災を感知するとともに火災を感知したときに接点出力部５１より無電圧接点信号を出力（発報）する感知器制御部５２と、各部に電源を供給する電源部５３とを具備している。また、センサ装置６は、電波を媒体とするワイヤレス信号で発報する無線タイプの火災感知器からなり、火災に伴う煙や温度上昇を検出するセンシング部６０と、特定小電力無線の規格に準拠したワイヤレス信号を送信するワイヤレス信号送信部５１と、マイコンを主構成要素としセンシング部５０の検出出力に基づいて火災を感知するとともに火災を感知したときにワイヤレス信号送信部５１より火災発生を知らせるワイヤレス信号を送信（発報）させる感知器制御部６２と、各部に電源を供給する電源部６３とを具備している。但し、かかるセンサ装置５，６の構成は従来周知であるから、詳細な説明は省略する。
【００３２】
一方、本実施形態における親機１は、センサ装置５から通信線Ｌｚに出力される無電圧接点信号を入力する接点入力部１６と、センサ装置６から送信されたワイヤレス信号を受信するワイヤレス信号受信部１７とを具備している。
【００３３】
次に、図５のシーケンス図を参照しながら携帯電話端末３への異常発生通知に関する動作を説明する。
【００３４】
異常発生（火災）を検知した何れかのセンサ装置５，６が親機１に発報すると、親機１の親機制御部１４が無線Ｉ／Ｆ部１５より携帯電話端末３に対して発報したセンサ装置５又は６の種類（例えば、火災感知器）を含む異常発生通知を行うとともに音声入出力部１２のスピーカから異常発生を知らせる警報音を鳴動させ、さらにモニタ部１１に警報メッセージや警報の印を表示させる。携帯電話端末３では、親機１から送信された異常発生通知を第２無線部３３で受信すると端末制御部３６がスピーカ３１から警報音を鳴動させるとともに、モニタ部３４に警報メッセージや警報の印とともに発報したセンサ装置５又は６の種類を示す文字や記号を表示させる。なお、警報音の鳴動等が行われる警報状態は、それぞれの操作入力受付部１３，３５で所定の警報解除操作入力が受け付けられたときに解除されて警報音の鳴動等が停止する。また、携帯電話端末３の端末制御部３６においては、外線通話中に親機１から異常発生通知を受け取った場合、外線通話を継続したまま、音声入出力部１２のスピーカから異常発生を知らせる警報音を鳴動させ、さらにモニタ部１１に警報メッセージや警報の印を表示させる。
【００３５】
上述のように本実施形態によれば、センサ装置５，６で異常が検出されたときに異常の発生並びに異常を検出したセンサ装置５，６の種類を含む異常検出情報が親機１から携帯電話端末３に送信され、携帯電話端末３では、外線通話中に異常検出情報を受信した場合に外線通話を継続しながら異常検出情報を報知するので、外線通話中に異常（例えば、火災やガス漏れあるいは不審者の侵入など）の発生が見過ごされるのを防ぐことができる。
【００３６】
（実施形態３）
本実施形態は集合住宅向けのインターホンシステムに本発明の技術思想を適用したものであって、図６に示すように集合住宅の各住戸の屋外（玄関）に設置されるドアホン子器２と、集合住宅の各住戸の屋内に設置されるとともに信号線Ｌｓを介してドアホン子器２と接続される親機１と、集合住宅の共用玄関（ロビー）に設置されるとともに各々通信線Ｌｘ並びに制御線Ｌｙを介して各住戸の親機１と接続されるロビーインターホン装置７とを備えている。但し、本実施形態における親機１の基本構成は実施形態２と共通であり、また、ドアホン子器２と携帯電話端末３は実施形態１と共通であるから、共通の構成要素には同一の符号を付して図示並びに説明を適宜省略する。
【００３７】
各住戸に設置される親機１は、信号線Ｌｓを介してドアホン子器２に接続する多重分離処理部１０、モニタ部１１、音声入出力部１２、操作入力受付部１３、親機制御部１４、無線Ｉ／Ｆ部１５、接点入力部１６、ワイヤレス信号受信部１７に加えて、通信線Ｌｘを介してロビーインターホン装置７より周波数分割多重伝送される映像信号と音声信号を分離するとともにロビーインターホン装置７に対して通信線Ｌｘを介して音声信号を伝送する多重分離処理部１８と、制御線Ｌｙを介してロビーインターホン装置７との間で制御信号を送受信する制御信号送受信部１９とを具備している。ここで、通信線Ｌｘと制御線Ｌｙは複数対のペア線をシース内に備える多対ツイストペアケーブルからなり、ロビーインターホン装置７に接続された通信線Ｌｘと制御線Ｌｙ（これを幹線Ｌ１と呼ぶ。）からそれぞれ分岐された通信線Ｌｘと制御線Ｌｙ（これを住戸別線Ｌ２と呼ぶ。）に各住戸の親機１が接続されている。但し、親機１においては、住戸別線Ｌ２のうちの制御線Ｌｙとは常時接続されているが、通信線Ｌｘとは常時は接続されずにロビーインターホン装置７によって呼び出されたときにだけ接続されるように親機制御部１４が開閉制御している。
【００３８】
ロビーインターホン装置７は、マイクロホン並びにスピーカ、マイクロホンの出力を増幅するマイクロホンアンプ、スピーカへの入力を増幅するスピーカアンプを有する音声入出力部７０と、来訪者を撮像する撮像部７１と、住戸番号を指定するための番号キー並びに呼出釦（図示せず）を有して操作入力を受け付ける操作入力受付部７２と、制御線Ｌｙを介して制御信号を送受信する制御信号送受信部７３と、ＣＰＵを主構成要素とし各部の制御を行うロビーインターホン制御部７４とを具備している。ロビーインターホン制御部７４は、撮像部７１から出力する映像信号を変調して音声入出力部７０から出力する音声信号と周波数分割多重するとともに通信線Ｌｘを介して親機１から伝送されてくる音声信号を分離する機能を有している。ここで、親機１の親機制御部１４には個別にアドレス（住戸番号）が設定されており、番号キーが操作されて操作入力受付部７２で住戸番号の入力が受け付けられると、ロビーインターホン制御部７４が入力された住戸番号を指定する制御信号（呼出コマンド）を生成し、生成した制御信号を制御信号送受信部７３から制御線Ｌｙを介して全ての親機１に送信する。なお、音声入出力部７０が、各々エコーキャンセラ若しくは音声スイッチの少なくとも何れか一方を具備すれば、ロビーインターホン装置７で拡声通話（ハンズフリー通話）を行うことができる。
【００３９】
また、ロビーインターホン装置７のロビーインターホン制御部７４は、共用玄関に設置された電気錠８が信号線Ｌｗで接続され、信号線Ｌｗを介して送信する制御信号によって電気錠８を施錠並びに解錠する機能を有している。但し、この種の電気錠８の構成や動作については従来周知であるから、詳細な説明は省略する。
【００４０】
一方、親機１の親機制御部１４は、制御信号に含まれる住戸番号が自己の住戸番号であれば住戸別線Ｌ２の通信線Ｌｘを接続し、ロビーインターホン装置７の撮像部７１において撮像され且つ通信線Ｌｘを介して伝送される来訪者の映像をモニタ部１１に表示させるとともに、音声入出力部１２のスピーカから呼出音を鳴動する。そして、呼出音に応じて家人が操作入力受付部１３の応答釦を押操作すれば、ロビーインターホン装置７と選択された親機１との間でのみ通話可能にすることができるとともに、選択された親機１でのみ撮像部７１で撮像された来訪者をモニタ部１１に表示することが可能になる。
【００４１】
次に、ロビーインターホン装置７と携帯電話端末３との通話に関する動作を説明する。
【００４２】
ロビーインターホン装置７から制御線Ｌｙを介して送信される制御信号（呼出コマンド）を制御信号送受信部１７で受信すると、親機１の親機制御部１４が無線Ｉ／Ｆ部１５より携帯電話端末３に対して呼出通知を行うとともに音声入出力部１２のスピーカから呼出音を鳴動させる。携帯電話端末３では、親機１から送信された呼出通知を第２無線部３３で受信すると端末制御部３６がスピーカ３１から呼出音を鳴動させる。このとき、端末制御部３６ではドアホン子器２からの呼出時に鳴動する呼出音と異なる呼出音を鳴動することで呼出元がドアホン子器２とロビーインターホン装置７の何れであるかを判別しやすくしている。そして、呼出音を聞いた家人が携帯電話端末３の操作入力受付部３５に設けられた応答釦を押操作すれば、端末制御部３６が第２無線部３３より親機１に対して応答通知を行う。親機１では、携帯電話端末３から送信された応答通知を無線Ｉ／Ｆ部１５で受信すると、親機制御部１４が無線Ｉ／Ｆ部１５より携帯電話端末３に対して通話許可通知を行い、さらに音声入出力部１２のスピーカから鳴動させていた呼出音を停止する。携帯電話端末３では、親機１から送信された通話許可通知を第２無線部３３で受信すると端末制御部３６がスピーカ３１から鳴動させていた呼出音を停止する。そして、ロビーインターホン装置７から親機１に伝送された映像と音声（送話音声）が親機制御部１４で各々映像データと音声データに変換されて無線Ｉ／Ｆ部１５より携帯電話端末３へ送信され、携帯電話端末３においては、親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より親機１へ送信され、親機１においては、携帯電話端末３から送信された音声データを無線Ｉ／Ｆ部１５で受信すると親機制御部１４が音声データをアナログの音声信号に変換して多重分離処理部１６よりロビーインターホン装置７に送信し、ロビーインターホン装置７の音声入出力部７０のスピーカから音声（受話音声）が鳴動されてロビーインターホン装置７と携帯電話端末３との間で通話が可能となる。但し、親機１を介した携帯電話端末３とロビーインターホン装置７との間の通話並びに映像伝送は、携帯電話端末３で応答釦が押操作されてから所定時間が経過するか若しくは再度応答釦が押操作されたときに終了する。
【００４３】
また、携帯電話端末３が外線通話中に親機１から呼出通知が送信された場合、外線通話中の携帯電話端末３では、親機１から送信された呼出通知を第２無線部３３で受信すると、端末制御部３６が外線通話の通話音声に重畳してスピーカ３１から呼出音を鳴動させる。そして、呼出音を聞いた家人が携帯電話端末３の操作入力受付部３５に設けられた応答釦（図示せず）を押操作すれば、端末制御部３６が外線通話を継続したまま第２無線部３３より親機１に対して応答通知を行うとともに、スピーカ３１から鳴動させていた呼出音を停止する。但し、この応答通知には携帯電話端末３が外線通話中であることを示す情報（例えば、１ビットのデータ）が付加されている。親機１では、携帯電話端末３から送信された応答通知を無線Ｉ／Ｆ部１５で受信すると、携帯電話端末３が外線通話中であることを知った親機制御部１４がロビーインターホン装置７の撮像部７１を起動し撮像部７１で撮像した来訪者の映像のみを伝送させるとともに音声入出力部１２のスピーカから鳴動させていた呼出音を停止する。そして、ロビーインターホン装置７から親機１に伝送された映像が親機制御部１４で映像データに変換されて無線Ｉ／Ｆ部１５より携帯電話端末３へ送信され、携帯電話端末３においては、親機１から送信された映像データを第２無線部３３で受信すると端末制御部３６が映像データから元の映像を再構成してモニタ部３４に表示させる。
【００４４】
ここで、来訪者の映像を見た家人が共用玄関内に招き入れる必要がないと判断して操作入力受付部３５に設けられた所定のキー（例えば、「１」と「＊」）を押操作すれば、端末制御部３６が第２無線部３３より親機１に対してメッセージ応答指令を送信する。親機１では、無線Ｉ／Ｆ部１５を介してメッセージ応答指令を受け取った親機制御部１４が予めメモリ（図示せず）に圧縮して保存している音声メッセージ（例えば、「今、手が離せないので、お引き取り下さい。」という内容のメッセージ）のデータを読み出して伸長するとともに当該音声メッセージをアナログ信号に変換して通信線Ｌｘを介してロビーインターホン装置７に送信する。ロビーインターホン装置７では通信線Ｌｘを介して親機１から送信されてきた音声メッセージが音声入出力部７０のスピーカから鳴動される。
【００４５】
一方、来訪者の映像を見た家人が共用玄関内に招き入れる必要があると判断して操作入力受付部３５に設けられた所定のキー（例えば、「♯」）を押操作すれば、端末制御部３６が第２無線部３３より親機１に対して電気錠解錠指令を送信する。親機１では、無線Ｉ／Ｆ部１５を介して受け取った電気錠解錠指令に応じて、親機制御部１４が制御線Ｌｙを介してロビーインターホン装置７に電気錠解錠の制御信号を送信する。そして、ロビーインターホン装置７のロビーインターホン制御部７４では、制御線Ｌｙを介して前記制御信号を受け取ると、信号線Ｌｗを介して制御信号を送信することで電気錠８を解錠する。また、家人が応答釦を押操作すると端末制御部３６が第２無線部３３より親機１に対して終了通知を送信し、引き続き外線通話を継続する。この終了通知を受信した親機１では、親機制御部１４がロビーインターホン装置７に対し制御線Ｌｙを介して制御信号を送信し、この制御信号を受けたロビーインターホン装置７のロビーインターホン制御部７４が撮像部７１を停止して携帯電話端末３への映像送信を終了する。
【００４６】
上述のように本実施形態によれば、集合住宅用のインターホンシステムにおいても、親機１だけでなく携帯電話端末３を使ってロビーインターホン装置７と通話ができ、しかも、携帯電話端末３においては、外線通話を継続しながら呼出通知の受信を音で報知するとともに呼出元の種類（ドアホン子器２とロビーインターホン装置７）に応じて報知音（呼出音）を異ならせているので、呼出元の種類に応じた応対方法が選択できる。また、携帯電話端末３から解錠指令を送信して電気錠８を解錠することができて使い勝手が向上する。但し、本実施形態では共用玄関に電気錠８を設置した場合についてのみ例示したが、各住戸の玄関に設置された電気錠を携帯電話端末３から親機２を介して解錠することも同様に可能である。
【００４７】
なお、実施形態１〜３では無線インタフェース手段たる無線Ｉ／Ｆ部１５を親機１に内蔵する構成としたが、必ずしも親機１に内蔵する必要はなく、例えば、無線Ｉ／Ｆ部を親機１の横に並設可能な薄型のパネル形状のユニットとして構成すれば、親機１の美観を損ねることもなく、しかも、容易に後付が可能になるから使い勝手が向上するという利点がある。
【図面の簡単な説明】
【００４８】
【図１】本発明の実施形態１を示すシステム構成図である。
【図２】同上においてドアホン子器と携帯電話端末の通話に関する動作を説明するためのシーケンス図である。
【図３】同上においてドアホン子器と外線通話中の携帯電話端末の通話に関する動作を説明するためのシーケンス図である。
【図４】本発明の実施形態２を示すシステム構成図である。
【図５】同上において携帯電話端末への異常発生通知に関する動作を説明するためのシーケンス図である。
【図６】本発明の実施形態３を示すシステム構成図である。
【符号の説明】
【００４９】
１  インターホン親機
２  ドアホン子器
３  携帯電話端末
１５  無線インタフェース（Ｉ／Ｆ）部
３２  第１無線部
３３  第２無線部
【図１】
2008135976.tif 000003
【図２】
2008135976.tif 000004
【図３】
2008135976.tif 000005
【図４】
2008135976.tif 000006
【図５】
2008135976.tif 000007
【図６】
2008135976.tif 000008